(57)【要約】    【課題】簡単な構造からなり、かつ高度なシール性を実現できるシール機構を備えたフィルタユニットを提供すること。    【解決手段】軸受け部材３３とリング受け部３４との間に設けたＶリング３５が、前記軸受け部材３３とリング受け部３４とに接し、かつ風量調整用ダンパー羽根の開閉角度を調整できるダンパー軸の操作軸３７周囲に密着して取り付けられた簡単な構造からなり、かつ高度なシール性を実現できるシール機構を提供することができる。  【選択図】  図７
2009078216.tif 000002
【特許請求の範囲】
【請求項１】
エアフィルタを内蔵するフィルタユニットであって、
天井裏又は壁裏に配置されたフィルタケースと、
前記フィルタケースの空気導入口又は空気排出口に設けられたダンパーダクトと、
前記ダンパーダクト内に配された風量調整用ダンパー羽根と、
前記フィルタケースの空気吹き出し口又は空気吸い込み口周囲に設けられたフレームと、
前記風量調整用ダンパー羽根に連結されると共に前記ダンパーダクトから前記フレームに設けた貫通孔を貫通して先端部が室内側に露出しており、前記先端部を操作することで前記風量調整用ダンパー羽根の開閉角度を調整できるダンパー軸と、
前記フレームの貫通孔周りに接合され、前記ダンパー軸が貫通する円筒状の軸受け部材、または前記フレームの貫通孔周りからなる軸受け部と、
前記ダンパー軸に設けられたリング受け部と、
前記軸受け部材または軸受け部とリング受け部との間に設けられ、両端が前記軸受け部材または軸受け部とリング受け部とに接し、かつ前記ダンパー軸周囲に密着して取り付けられたＶリングと、
を備えたことを特徴とするフィルタユニット。
【請求項２】
ダンパー軸が主軸と操作軸とからなり、前記主軸と操作軸とが軸接続部材によって連結されていると共に、前記操作軸にリング受け部が設けられていることを特徴とする請求項１に記載のフィルタユニット。
【請求項３】
軸受け部材のダンパー軸又は操作軸が貫通する筒穴上部に径小部が設けられていると共に、前記ダンパー軸又は操作軸に前記軸受け部材の筒穴形状に対応する径大部が設けられており、前記ダンパー軸又は操作軸を軸受け部材に貫通させたとき、前記ダンパー軸又は操作軸の径大部が前記軸受け部材の筒穴上部の径小部に当設し、前記ダンパー軸又は操作軸に設けたリング受け部と前記軸受け部材との間の距離が固定されるようにしたことを特徴とする請求項１又は２のいずれかに記載のフィルタユニット。
【請求項４】
リング受け部が、ダンパー軸又は操作軸に嵌め込まれる止め輪からなることを特徴とする請求項１〜３のいずれかに記載のフィルタユニット。
【請求項５】
リング受け部が、ダンパー軸又は操作軸に周設した段差を有する突出部であることを特徴とする請求項１〜３のいずれかに記載のフィルタユニット。
【請求項６】
リング受け部がダンパー軸又は操作軸に周設した溝からなり、軸受け部材または軸受け部との間にＶリングを取り付けたとき、該Ｖリングの一端が溝内に嵌り込んで固定されることを特徴とする請求項１〜３のいずれかに記載のフィルタユニット。
【請求項７】
ダンパー軸又は操作軸の室内側に露出する先端部がフレームの貫通孔よりも径大に設けられていることを特徴とする請求項１〜６のいずれかに記載のフィルタユニット。
【請求項８】
Ｖリングとリング受け部が天井裏又は壁裏に配置されていることを特徴とする請求項１〜７のいずれかに記載のフィルタユニット。
【発明の詳細な説明】
【技術分野】
【０００１】
本発明は、半導体工場、病院、製薬工場、食品工場など、高い清浄度が要求される部屋の天井や壁などに設置されるフィルタユニットに関する。特には、簡単な構造からなり、かつ高度なシール性を実現できるシール機構を備えたフィルタユニットに関する。
【背景技術】
【０００２】
半導体工場、病院、製薬工場、食品工場など、高い清浄度が要求される部屋の天井や壁などに設置されるフィルタユニット１としては、図１３に示すように、ねじ回し工具挿入用孔３にドライバー（図示しない）を挿入して、操作棒４を捻り回し、連結用パイプ５、軸部材６、発条７などのフレキシブルシャフトを介して作動軸８を回転させてダンパー９の開閉を行うようにしたものがある（特許文献１参照）。
【０００３】
ところが、このフィルタユニット１にあっては、チャンバー２内に操作部があるためにチャンバー２の外形寸法が大きくなり、しかも汚染空気側と清浄空気側とを遮断するシール機構が非常に複雑であるといった問題があった。
【０００４】
そこで、このような問題を解決する新たな改良技術が提案されている（特許文献２参照）。このフィルタユニットは、図１４に示すように、風量調整用ダンパー（図示しない）の軸駆動部（図示しない）から垂下する軸１１の先端に取り付けられた軸駆動継手１２と、軸駆動継手１２のねじ部１３とヘッド部１４との間の溝部１５に取り付けられたＯリング１６とを有しており、この軸駆動継手１２を空気吹き出し口側の額縁部１７に設けた貫通孔に装着し、前記Ｏリング１６と貫通孔の額縁部１７との間にＯリング受け１８を設けることで、前記Ｏリング１６とＯリング受け１８との間でシールを行うようになっている。また、ねじ部１３に取り付けられたＵナット１９でＯリング受け１９を締め込むことで軸駆動継手１２の落下を防止すると共に、軸駆動継手１２の緩みによるＯリング１６のシール性の低下を防止するようになっている。
【０００５】
ところが、このフィルタユニットにあっては、軸駆動継手１２の回転頻度が高くなると、Ｏリング１６の摩耗によるシール性の低下が生じるという問題があった。また、軸駆動継手１２の正逆回転の繰り返しによってＵナット１９の緩みが生じ、この場合もまた、該Ｕナット１９による上記した効果が得られないことになり、シール性の低下という結果を招いていた。
【特許文献１】実開昭６１−４６３２８号公報
【特許文献２】特開２００７−８５５８７号公報
【発明の開示】
【発明が解決しようとする課題】
【０００６】
本発明は、このような技術的課題に鑑みなされたものであり、簡単な構造からなり、かつ高度なシール性を実現できるシール機構を備えたフィルタユニットを提供することを目的とするものである。
【課題を解決するための手段】
【０００７】
上記目的を達成するため、請求項１記載の発明は、
エアフィルタを内蔵するフィルタユニットであって、
天井裏又は壁裏に配置されたフィルタケースと、
前記フィルタケースの空気導入口又は空気排出口に設けられたダンパーダクトと、
前記ダンパーダクト内に配された風量調整用ダンパー羽根と、
前記フィルタケースの空気吹き出し口又は空気吸い込み口周囲に設けられたフレームと、
前記風量調整用ダンパー羽根に連結されると共に前記ダンパーダクトから前記フレームに設けた貫通孔を貫通して先端部が室内側に露出しており、前記先端部を操作することで前記風量調整用ダンパー羽根の開閉角度を調整できるダンパー軸と、
前記フレームの貫通孔周りに接合され、前記ダンパー軸が貫通する円筒状の軸受け部材、または前記フレームの貫通孔周りからなる軸受け部と、
前記ダンパー軸に設けられたリング受け部と、
前記軸受け部材または軸受け部とリング受け部との間に設けられ、両端が前記軸受け部材または軸受け部とリング受け部とに接し、かつ前記ダンパー軸周囲に密着して取り付けられたＶリングと、
を備えたことを特徴とするフィルタユニットをその要旨とした。
【０００８】
請求項２記載の発明は、ダンパー軸が主軸と操作軸とからなり、前記主軸と操作軸とが軸接続部材によって連結されていると共に、前記操作軸にリング受け部が設けられていることを特徴とする請求項１に記載のフィルタユニットをその要旨とした。
【０００９】
請求項３記載の発明は、軸受け部材のダンパー軸又は操作軸が貫通する筒穴上部に径小部が設けられていると共に、前記ダンパー軸又は操作軸に前記軸受け部材の筒穴形状に対応する径大部が設けられており、前記ダンパー軸又は操作軸を軸受け部材に貫通させたとき、前記ダンパー軸又は操作軸の径大部が前記軸受け部材の筒穴上部の径小部に当設し、前記ダンパー軸又は操作軸に設けたリング受け部と前記軸受け部材との間の距離が固定されるようにしたことを特徴とする請求項１又は２のいずれかに記載のフィルタユニットをその要旨とした。
【００１０】
請求項４記載の発明は、リング受け部が、ダンパー軸又は操作軸に嵌め込まれる止め輪からなることを特徴とする請求項１〜３のいずれかに記載のフィルタユニットをその要旨とした。
【００１１】
請求項５記載の発明は、リング受け部が、ダンパー軸又は操作軸に周設した段差を有する突出部であることを特徴とする請求項１〜３のいずれかに記載のフィルタユニットをその要旨とした。
【００１２】
請求項６記載の発明は、リング受け部がダンパー軸又は操作軸に周設した溝からなり、軸受け部材または軸受け部との間にＶリングを取り付けたとき、該Ｖリングの一端が溝内に嵌り込んで固定されることを特徴とする請求項１〜３のいずれかに記載のフィルタユニットをその要旨とした。
【００１３】
請求項７記載の発明は、ダンパー軸又は操作軸の室内側に露出する先端部がフレームの貫通孔よりも径大に設けられていることを特徴とする請求項１〜６のいずれかに記載のフィルタユニットをその要旨とした。
【００１４】
請求項８記載の発明は、Ｖリングとリング受け部が天井裏又は壁裏に配置されていることを特徴とする請求項１〜７のいずれかに記載のフィルタユニットをその要旨とした。
【発明の効果】
【００１５】
本発明のフィルタユニットにあっては、軸受け部材または軸受け部とリング受け部との間に設けたＶリングが、前記軸受け部材または軸受け部とリング受け部とに接し、かつ風量調整用ダンパー羽根の開閉角度を調整できるダンパー軸周囲に密着して取り付けられた簡単な構造からなり、かつ高度なシール性を実現できるシール機構を提供することができる。
【発明を実施するための最良の形態】
【００１６】
以下、本発明のフィルタユニットを図面に示した一実施の形態に従ってさらに詳しく説明する。図１〜図３に示すように、本発明のフィルタユニット２１は、天井裏又は壁裏に配置されたフィルタケース２２と、前記フィルタケース２２の空気導入口又は空気排出口に設けられたダンパーダクト２３と、前記ダンパーダクト２３内に配された風量調整用ダンパー羽根３０と、前記フィルタケース２２の空気吹き出し口又は空気吸い込み口周囲に設けられたフレーム２４と、前記風量調整用ダンパー羽根３０に連結されると共に前記ダンパーダクト２３から前記フレーム２４に設けた貫通孔を貫通して先端部が室内側に露出しており、前記先端を操作することで前記風量調整用ダンパー羽根３０の開閉角度を調整できるダンパー軸２５とを備えている。
【００１７】
フィルタケース２２は箱形をなし、内部にはエアフィルタ２６が内蔵されている。エアフィルタ２６としては特に限定されないが、０．３μｍ以上の粒子の集塵効率が９９．７％以上のＨＥＰＡフィルタや中高性能フィルタが好ましい。
【００１８】
図示の例ではフィルタケース２２の上部側方に空気導入口又は空気排出口が設けられており、フィルタケース２２の上部側方の空気導入口又は空気排出口にはダンパーダクト２３が設けられ、フィルタケース２２の下部には空気吹き出し口又は空気吸い込み口が設けられており、フィルタケース２２下部の空気吹き出し口又は空気吸い込み口周囲には穴あきパンチングメタルからなる略台形状のカバー部材２７が着脱可能に取り付けられている。そして、エアフィルタ２６によって清浄化された空気がカバー部材２７を通して室内に放出され、或いは室内の汚染された空気がカバー部材２７を通してフィルタケース２２内に導入され、ダンパーダクト２３から排出されるようになっている。
【００１９】
カバー部材２７の周囲はフレーム２４に取り付けられている。図１〜図１２に示すフレーム２４は断面Ｌ字型に折り曲げられており、その先端が天井ボードまたは壁材３２に接するように配されて、シールがなされる構造となっている。
【００２０】
一方、ダンパーダクト２３内に配された風量調整用ダンパー羽根３０の羽軸２９には、ダンパーダクト２３側壁に設けたダンパー駆動部２８（ウォームギア）を介してダンパー軸２５が連結されている。そして、このダンパー軸２５を室内側に露出する先端部２５ａの溝にドライバー等を差し込んで回動させることで、ダンパー駆動部２８（ウォームギア）を介して羽軸２９が回動し、これにより風量調整用ダンパー羽根３０が開閉動して、空気導入口又は空気吹き出し口の風量が調整されるようになっている。
【００２１】
図１〜図１２に示すように、ダンパー軸２５は、ダンパーダクト２３側壁のダンパー駆動部２８（ウォームギア）から垂下してフレーム２４に設けた貫通孔２４ａを貫通し、先端部２５ａが室内側に露出するように設けられている。
【００２２】
またダンパー軸２５は、図４〜図６に示すように、１本のシャフトから構成されている態様の他に、図１〜図３、並びに図７〜図１２に示すように、主軸３６と操作軸３７とからなり、軸接続部材３１によって連結されている態様を採ることもできる。このような態様とした場合、後述するＶリングの取り付けを容易に行うことができる。またダンパー軸２５の主軸３６にフレキシブルシャフトを用いることもできる。
【００２３】
次に、本発明のフィルタユニットにおけるダンパー軸２５（操作軸３７）のシール機構について説明する。シール機構としては、図１〜図１２に示すように、フレーム２４の貫通孔２４ａ周りに接合され、前記ダンパー軸２５（操作軸３７）が貫通する円筒状の軸受け部材３３、または前記フレーム２４の貫通孔２４ａ周りからなる軸受け部２４ｂと、前記ダンパー軸２５（操作軸３７）に設けられたリング受け部３４と、前記軸受け部材３３または軸受け部２４ｂとリング受け部３４との間に設けられ、両端が前記軸受け部材３３または軸受け部２４ｂとリング受け部３４とに接し、かつ前記ダンパー軸２５（操作軸３７）周囲に密着して取り付けられたＶリング３５とからなる。
【００２４】
図４に示す形態では、フレーム２４の貫通孔２４ａ周りの天井裏側又は壁裏側の面を１本のシャフトからなるダンパー軸２５を受ける軸受け部２４ｂとし、ダンパー軸２５の天井裏側又は壁裏側の周面に設けた溝（図示しない）に嵌め込んだ止め輪からなるスナップリング又はＥリングをリング受け部３４とし、これら軸受け部２４ｂとリング受け部３４との間にＶリング３５を密接させ、かつ該Ｖリング３５をダンパー軸２５周囲に密着させることで、天井裏側又は壁裏側で空気の流れを遮断するようになっている。
【００２５】
Ｖリング３５は、ゴム製のリング本体の一端に円錐台筒状のリップを連結した断面Ｖ字状のリングであり、前記リップ部分３５ａがフレーム２４の貫通孔２４ａ周りの軸受け部２４ｂに密着し、優れたシール機能を発揮するようになっている。すなわち、ダンパー軸２５が回転すると、それに伴いダンパー軸２５に密着したＶリング３５も回転し、前記リップ部分３５ａが軸受け部２４ｂに対して摺動する構造となっており、ダンパー軸２５の回転時に優れたシール機能を発揮するようになっている。
【００２６】
図５及び図６に示す形態は、図４と同じくフレーム２４の貫通孔２４ａ周りの室内側面を１本のシャフトからなるダンパー軸２５を受ける軸受け部２４ｂとし、ダンパー軸２５の室内側周面に設けた溝（図示しない）に嵌め込んだスナップリング又はＥリングをリング受け部３４とし、これら軸受け部２４ｂとリング受け部３４との間にＶリング３５を密接させ、かつ該Ｖリング３５をダンパー軸２５周囲に密着させることで、室内側で空気の流れを遮断するようにしたものである。
【００２７】
図５及び図６に示す形態の場合、リング受け部３４及び軸受け部２４ｂと、これらリング受け部３４及び軸受け部２４ｂの間に配されるＶリング３５のいずれもが室内側に配されることから、取り付けが容易という利点がある。また図６に示す形態の場合、ダンパー軸２５の回転をスムーズにするために、樹脂カラー３６が取り付けられている。
【００２８】
図１〜図３並びに図７〜図１２に示す形態は、いずれも主軸３６と操作軸３７とからなり、軸接続部材３１によって連結されているダンパー軸２５を採用し、さらにこの操作軸３７が貫通する円筒状をなし、フレーム２４の貫通孔２４ａ周りに接合された軸受け部材３３を操作軸３７の軸受けとして用いたものである。軸受け部材３３は、操作軸３７を取り囲むようにフレーム２４の貫通孔２４ａ周りに立設されていることから、操作軸３７の回転を安定して保つことができ、さらに天井ボードまたは壁材３２を据え付ける際に天井ボードまたは壁材３２が操作軸３７に接触するのを防ぐことができるようになっている。
【００２９】
また、図示の軸受け部材３３にあっては、操作軸３７が貫通する筒穴上部に径小部３３ａが設けられていると共に、前記操作軸３７には前記軸受け部材３３の筒穴形状に対応する径大部３７ｂが設けられていることから、操作軸３７を軸受け部材３３に貫通させたとき、操作軸３７の径大部３７ｂが軸受け部材３３の筒穴上部の径小部３３ａに当設し、操作軸３７に設けたリング受け部３４と軸受け部材３３との間の距離が固定されるようになっている。つまり、軸受け部材３３に操作軸３７を貫通させるだけでＶリング３５の位置が固定されることから、該Ｖリング３５によるシールがより簡単、かつ確実に行えるようになっている。また、操作軸３７を軸受け部材３３に取り付ける際に、正確に取り付け位置を決定できるという利点もある。
【００３０】
尚、軸受け部材は、１本のシャフトからなるダンパー軸の軸受けとして用いることもできる。この場合、軸受け部材にはダンパー軸が貫通する筒穴上部に径小部を設けると共に、前記ダンパー軸には前記軸受け部材の筒穴形状に対応する径大部を設けることで、ダンパー軸を軸受け部材に貫通させたとき、ダンパー軸の径大部が軸受け部材の筒穴上部の径小部に当設し、ダンパー軸に設けたリング受け部と軸受け部材との間の距離が固定されるようになる。
【００３１】
また軸受け部材３３下部の外周面には、フレーム２４の貫通孔２４ａ周りに立設させたとき、貫通孔２４ａ内に嵌り込む嵌挿部３３ｂが設けられていることから、軸受け部材３３がフレーム２４の貫通孔２４ａ周りに安定して立設されるようになっている。
【００３２】
図７に示す形態は、上述したようにフレーム２４の貫通孔２４ａ周りに立設させた軸受け部材３３と、操作軸３７の天井裏側又は壁裏側の周面に設けた溝（図示しない）に嵌め込んだスナップリングからなるリング受け部３４との間にＶリング３５を密接させ、かつ該Ｖリング３５を操作軸３７周囲に密着させることで、空気の流れを遮断するようにしたものである。
【００３３】
図８に示す形態は、図７のスナップリングからなるリング受け部３４に代えて、操作軸３７にビス止めしたカラーをリング受け部３４として設けた例である。
【００３４】
図１〜図３並びに図９に示す形態では、操作軸３７の先端部３７ａ（摘み部分）をフレーム２４の貫通孔２４ａよりも室内側において径大に設けている。このような構造とすることで、該操作軸３７を室内側からフレーム２４の貫通孔２４ａ及び軸受け部材３３の筒穴に通して主軸３６と軸接続部材３１によって連結させるとき、操作軸３７の先端部３７ａが軸受け部材３３内に入ってしまうことがなく、軸受け部材３３の径小部３３ａと操作軸３７の径大部３７ｂとによってリング受け部３４と軸受け部材３３との間の距離が固定されるという上述の作用効果をより確実に実現することができる。また、操作軸３７を軸受け部材３３に取り付ける際に、操作軸３７の取り付け位置を容易に定めることができ、さらに操作軸３７の直径を小さくできるというメリットもある。
【００３５】
図１０に示す形態は、操作軸３７に段差３７ｃを有する突出部３７ｄを周設し、この突出部３７ｄの段差３７ｃをリング受け部としたものである。この場合、Ｖリング３５は、突出部３７ｄの段差３７ｃと軸受け部材３３の上面との間に密接され、かつ該Ｖリング３５は操作軸３７の周囲に密着されて空気の流れが遮断されるようになっている。この形態によれば、図７や図８に示す形態のように、操作軸にスナップリングやＥリングを嵌め込むための溝を設けたり、カラー３４を設けたり、該溝にリングを嵌め込むといった作業が不要であり、また、リングが外れるといった恐れもなく、Ｖリングの位置決めを確実に行うことができる。
【００３６】
また、図１０に示す形態の場合、Ｖリング３５を操作軸３７の突出部３７ｄの段差３７ｃ側から取り付けた後に、操作軸３７を軸接続部材３１によって主軸３６と連結させる必要がある。このため、操作軸３７の室内側には、該操作軸３７をフレーム２４の貫通孔２４ａ及び軸受け部材３３の筒穴を通して主軸３６と連結させた後、操作軸３７よりも径大な筒状の摘み部材３８が操作軸３７にセットボルトを用いて取り付けられるようになっている。
【００３７】
操作軸３７に摘み部材３８を取り付けたとき、摘み部材３８上面が軸受け部材３３の筒穴上部の径小部３３ａに当設し、操作軸３７に設けたリング受け部として機能する突出部３７ｄの段差３７ｃと軸受け部材３３上面との間の距離が固定され、Ｖリング３５の位置が固定されるようになっている。
【００３８】
図１１に示す形態は、図７のＥリングからなるリング受け部３４に代えて、ダンパー軸の操作軸３７に周設した溝３７ｅをリング受け部として採用したものである。この形態の場合、Ｖリング３５を操作軸３７に装着して、操作軸３７を軸接続部材３１によって主軸３６と連結させたとき、軸受け部材３１上面との間に配されたＶリング３５の上端がその弾性力によって操作軸３７に周設した溝３７ｅ内に向かって変形し、溝３７ｅ内に嵌り込んで固定されることから、図７や図８に示す形態のように、操作軸３７にスナップリングやＥリングなどの留めリングを嵌め込む作業が不要であり、また、リングが外れるといった恐れもなく、Ｖリングの固定及び位置決めを確実に行うことができる。
【００３９】
図１２に示す形態は、図７に示す形態において、操作軸３７に径大部３７ｂが設けられていない形態の例を示し、また操作軸３７の先端部３７ａとフレーム２４の貫通孔２４ａの室内側面との間にワッシャー３９を取り付けることで、操作軸３７の回転操作がより円滑に行い得るようにしたものである。
【００４０】
尚、本発明は、上述した例に限定されるものではなく、特許請求の範囲に記載した範囲内で自由に実施することができる。
【図面の簡単な説明】
【００４１】
【図１】本発明のフィルタユニットの全体を示す斜視図である。
【図２】同じく正面図である。
【図３】本発明のフィルタユニットの要部拡大斜視図である。
【図４】本発明のフィルタユニットにおけるダンパー軸のシール機構を示す要部拡大断面図である。
【図５】本発明のフィルタユニットにおけるダンパー軸の別のシール機構を示す要部拡大断面図である。
【図６】本発明のフィルタユニットにおけるダンパー軸のさらに別のシール機構を示す要部拡大断面図である。
【図７】本発明のフィルタユニットにおけるダンパー軸のさらに別のシール機構を示す要部拡大断面図である。
【図８】本発明のフィルタユニットにおけるダンパー軸のさらに別のシール機構を示す要部拡大断面図である。
【図９】本発明のフィルタユニットにおけるダンパー軸のさらに別のシール機構を示す要部拡大断面図である。
【図１０】本発明のフィルタユニットにおけるダンパー軸のさらに別のシール機構を示す要部拡大断面図である。
【図１１】本発明のフィルタユニットにおけるダンパー軸のさらに別のシール機構を示す要部拡大断面図である。
【図１２】本発明のフィルタユニットにおけるダンパー軸のさらに別のシール機構を示す要部拡大断面図である。
【図１３】従来のフィルタユニットを示す拡大断面図である。
【図１４】従来の別のフィルタユニットを示す要部拡大断面図である。
【符号の説明】
【００４２】
２２・・・フィルタケース
２３・・・ダンパーダクト
２４・・・フレーム
２４ａ・・・貫通孔
２４ｂ・・・軸受け部
２５・・・ダンパー軸
２５ａ・・・先端部
２６・・・エアフィルタ
２７・・・カバー部材
２８・・・ダンパー駆動部
２９・・・羽軸
３０・・・風量調整用ダンパー羽根
３１・・・軸接続部材
３２・・・天井ボードまたは壁材
３３・・・軸受け部材
３３ａ・・・径小部
３３ｂ・・・嵌挿部
３４・・・リング受け部
３５・・・Ｖリング
３５ａ・・・リップ部分
３６・・・主軸
３７・・・操作軸
３７ａ・・・先端部（摘み部分）
３７ｂ・・・径大部
３７ｃ・・・段差
３７ｄ・・・突出部
３７ｅ・・・溝
３８・・・摘み部材
３９・・・ワッシャー
【図１】
2009078216.tif 000003
【図２】
2009078216.tif 000004
【図３】
2009078216.tif 000005
【図４】
2009078216.tif 000006
【図５】
2009078216.tif 000007
【図６】
2009078216.tif 000008
【図７】
2009078216.tif 000009
【図８】
2009078216.tif 000010
【図９】
2009078216.tif 000011
【図１０】
2009078216.tif 000012
【図１１】
2009078216.tif 000013
【図１２】
2009078216.tif 000014
【図１３】
2009078216.tif 000015
【図１４】
2009078216.tif 000016